(57)【要約】【課題】本発明は、刀身本体２に配設される板ばねＡが安定して保持され、経年的な使用に対しても有効な刃物１を提供とする。さらに刀身本体２に板ばねを簡易かつ確実に取り付けることができる刃物１を提供する。【解決手段】刃体５が刀身本体２に出し入れ可能であり、刀身本体２の刃体保持部Ｃに装着された刃体２が板ばねＡの付勢力により押圧されるように構成された刃物１において、刀身本体２は刀身本体２下縁に開口する係合凹部Ｂを有し、前記板ばねＡは基端に係合凹部Ｂへ向け屈曲して延びる係合突片６を設け、前記開口より挿入して係合凹部Ｂに係合される係合突片６が被覆体３により被覆されている。係合凹部Ｂは溝部Ｅにおける側面部９ｂの延設方向に直交する方向であり、かつ側面部９ｂの厚み方向の全域に亘り形成されている。【選択図】図２
2006255379.tif 000002
【特許請求の範囲】
【請求項１】
刃体が刀身本体に出し入れ可能であり、刀身本体の刃体保持部に装着された刃体が板ばねの付勢力により押圧されるように構成された刃物において、前記刀身本体は刀身本体下縁に開口する係合凹部を有し、前記板ばねは基端に前記係合凹部へ向け屈曲して延びる係合突片を設け、前記開口より挿入して前記係合凹部に係合される係合突片が被覆体により被覆されていることを特徴とする刃物。
【請求項２】
前記刃物が剃刀であることを特徴とする請求項１に記載の刃物。
【請求項３】
前記係合凹部は溝部における側面部の延設方向に直交する方向であり、かつ側面部の厚み方向の全域に亘り形成されていることを特徴とする請求項１または２に記載の刃物。
【発明の詳細な説明】
【技術分野】
【０００１】本発明は替刃である刃体が刀身本体に着脱可能に取り付けて使用される剃刀等の刃物に関する。この種の刃物は顔剃りや毛髪のカット用の剃刀や医療用、病理用のナイフなどに使用される。
【背景技術】
【０００２】金属製の背金を備える刃体が刀身本体に装着された刃物は、製造の際の寸法誤差や経年変化などが原因で替刃（刃体）と刀身本体との間に隙間の生じることがある。また刃体は前端の挿脱口から刀身本体に着脱可能に挿脱されるが、替刃の挿脱に起因する磨耗などにより刀身本体（中空部）に保持される刃体に緩みが生じることがある。剃刀を例にとると、刀身本体の中空部に弾性体である板ばねを配設する一方、中空部に装着された替刃がこれと当接する板ばねの付勢力で押圧され、替刃が安定して保持される構造のものが開発されている。この場合、中空部における板ばねの不要な移動を阻止するため、板ばねの基端が刀身本体に固定されている。固定手段としては、例えば、刀身本体内の部材間に板ばねの基端を挟着して固定する構造がある（実公昭４５年第１１７７８号公報参照）。また、板ばねの基端の小突起を刀身本体の厚み方向に貫通する小孔に内側から引っ掛けて固定する構造が知られている（図示せず）。しかし小孔の厚みは１ｍｍ程度であり、この薄い厚み部分に小突起を引っ掛けているにすぎない。一方、替刃と刀身本体との装脱着の際には替刃を刀身本体の長手方向に移動させるが、このとき替刃が板ばねに摺接して板ばねに長手方向の力が働くため、従来の固定手段では経年的な使用等によって板ばねが離脱するおそれもある。
【特許文献１】実公昭４５年第１１７７８号には、前記のように、刀身本体内の部材間に板ばねの基端を挟着し、板ばねを刀身本体に固定する剃刀が開示されている。
【発明の開示】
【発明が解決しようとする課題】
【０００３】本発明は、刀身本体に配設される板ばねを安定して保持するとともに、経年的な使用に対しても有効な刃物を提供することを課題とする。さらに刀身本体に板ばねを簡易かつ確実に取り付けることができる刃物を提供することを課題とする。
【課題を解決するための手段】
【０００４】この課題を解決するため本発明にかかる刃物は、刃体が刀身本体に出し入れ可能であり、刀身本体の刃体保持部に装着された刃体が板ばねの付勢力により押圧されるように構成された刃物において、前記刀身本体は刀身本体下縁に開口する係合凹部を有し、前記板ばねは基端に前記係合凹部へ向け屈曲して延びる係合突片を設け、前記開口より挿入して前記係合凹部に係合される係合突片が被覆体により被覆されている。また前記係合凹部は溝部における側面部の延設方向に直交する方向でありかつ側面部の厚み方向の全域に亘り形成されている。なお本発明は剃刀に適用することもできる。
【発明の効果】
【０００５】本発明にかかる刃物によれば、例えば、狭い溝部内側から側面部に貫通する小孔へ板ばねの小突起を引っ掛けていた従来の剃刀と比べ、係合突片を含む板ばねの刀身本体への取り付けが簡易かつ確実であり、刀身本体に安定して保持される。従ってまた刀身本体における刃体の摺動により板ばねが所定位置から離脱することもなく、長期の使用にも耐えうる。
【発明を実施するための最良の形態】
【０００６】本発明を実施するための最良の形態を剃刀について説明する。剃刀１は刀身本体２とハンドル３とを備える。ここで剃刀のハンドル３とは剃刀１を手で握持される細長い柄の部分をいい、また剃刀の刀身本体２とは切断用具としハンドル３に連結される刃物の基本部分（但し刃体を除く）であり、刀身本体２に刃体５を装着して刀身が構成される。すなわち刀身本体２は単に刃体５を保持する刃体保持部Ｃだけでなく、基部Ｄなどこれと一体的に構成されたすべての部分を含む。刀身本体２は通常、金属製であるがこれに限定されない。【０００７】刀身本体２は刃体を出し入れする前端の挿脱口７と、刃体の挿脱口７から刀身本体の長手方向に延びる刃体保持部Ｃを備える。刃体保持部Ｃは一対の側面部９ａ、９ａを設け、対向する側面部の下縁８ａ、８ａ間に間隙がある（側面部の「下縁」とは図３における下側をさす）。すなわち刃体保持部Ｃは対向する側面部の下縁側が開口する中空構造である。刀身本体２は刃体保持部Ｃと連設された基部Ｄを備え、基部Ｄにはその長手方向に溝部Ｅが形成されている。溝部Ｅは並行する一対の側面部９ｂ、９ｂと底部４を有し、刃体保持部Ｃと同じく、側面部９ｂ、９ｂの下縁８ｂ、８ｂ間が開口する中空構造であり、中空の刃体保持部Ｃと中空の溝部Ｅが連設されている。【０００８】中空の刃体保持部Ｃには弾性体である１枚の板ばねＡが刀身本体２の長手方向に配設されている。湾曲する板ばねＡは基端が刀身本体２に保持あるいは固定される一方、中央部が刃体保持部Ｃの一方の側面部９ａの内側面に適宜に弾接している（図６参照）。前端の挿脱口７から刃体保持部Ｃに挿入される刃体５は、板ばねＡの前端１０側から基端側へと板ばねＡの側面に沿って摺動し、所定位置に配置される。中空の刃体保持部Ｃ内の刃体５は、腹部に当接する板ばねＡの付勢力により一方の側面部９ａの方向に押圧され、刃体保持部Ｃに安定して配置される（図６、７、８参照）。また刃体保持部Ｃに配置された刃体５は逆に前端１０側へと移動させ挿脱口７から取り出される。このように刀身本体２に替刃である刃体５が着脱可能に装着され、装着された刃体５は刃先５ａが刃体保持部の側面部の下縁８ａから突出する。【０００９】全体としてほぼ弓形に湾曲する板ばねＡは基端において屈曲して延びる係合突片６を有する。係合突片６は板ばねＡと一体に形成され、また、例えば、板ばねÅ１のように係合突片の幅は板ばねの幅と同じである（ここで係合突片の「幅」、板ばねの「幅」とは図９における高さ（上下）方向の長さをいう）。しかしその幅は常に同じである必要はなく、異なってもよい。係合突片は１個だけでなく複数個、設けてもよく、また板ばねの基端におけるその設定位置も任意である。図１１乃至１３に示される板ばねＡ２は基端の上縁側と下縁側に一対（２個）の係合突片６、６を有する。また図１４乃至１６に示される板ばねＡ３は基端における幅方向のほぼ中間部に１個の係合突片６を有する。いずれの場合も係合突片の幅は板ばねの基端の幅の３分の１以上、望ましくは２分の１以上とする。複数個の係合突片６を設けたときは各係合突片の幅を加えたものが同じ条件を満たすようにする。これにより係合突片６と係合凹部Ｂとの係合が安定する。【００１０】図１７、１８に示される板ばねＡ４は基端においてＬ字状に屈曲して延びる係合突片６を有し、図１９，２０に示される板ばねＡ５は基端において鉤状に屈曲して延びる係合片６を備える。図２１，２２に示される板ばねＡ６は直線状に延びる基端部１３の下端から下方へ屈曲する係合突片６を有する。係合突片６の長さ、屈曲角度、方向などは係合凹部Ｂとの配置関係などにより適宜に決定される。また弾性体である板ばねＡの全体形状は弓形に限定されず、台形状、Ｓ字状、波状などでもよい。またその材質も金属が望ましいが、アモルファス材やプラスチックなどでもよい。【００１１】刀身本体２には高さ方向（図３における上下方向）の係合凹部Ｂが形成され、係合凹部は刀身本体下縁に開口している。刃体保持部、基部を備える刀身本体２において係合凹部Ｂが基部Ｄの溝部Ｅに形成されている。すなわち基部Ｄの長手方向に設けられた溝部Ｅは対向する側面部９ｂ、９ｂと底部４を備え、側面部９ｂまたは底部４に係合凹部Ｂが形成される。側面部９ｂにおける係合凹部Ｂの場合、側面部９ｂを厚み方向に切り欠き、対向する側面部９ｂ、９ｂに一対の係合凹部Ｂが直列的に形成されている（図６、２３参照）。係合凹部Ｂは側面部９ｂの延設方向に直交する方向であり、側面部９ｂの厚み方向の全域に亘り形成されているが、その形成方向や角度は任意である。また図２４に示される側面部９ｂの係合凹部Ｂは溝部Ｅの内側から幅方向に一部を切り欠いて形成したものである。なお係合凹部Ｂは一方の側面部のみに形成してもよい（図示せず）。【００１２】係合凹部Ｂには板ばねＡ１乃至Ａ３の基端に設けられた屈曲する係合突片６が係合される（図２３参照）。係合突片６は一方の側面部９ｂにおける係合凹部Ｂに向け屈曲して延びている。係合凹部Ｂに係合される係合突片６は先端が側面部９ｂの外側面９ｃから突出せず、ほぼ面一状態かあるいはこれに近い状態とするのが望ましい（図２３参照）。しかし係合突片６の先端が外側面に達しないものでもよく、また逆に外側面から突出してもよい（後述の板ばねＡ４、５と係合凹部Ｂとの係合の説明参照）。側面部９ｂの延設方向に直交方向であり、かつ側面部９ｂの厚み方向の全域に亘り係合凹部Ｂが形成されている場合（図２３参照）、係合突片６と係合凹部Ｂとの係合が容易であり安定する。係合凹部Ｂの前後方向の間隔は、通常、薄い板状の係合突片６を係合するに足る長さかあるいはそれよりやや長めとすればよく、１ｍｍから２ｍｍ程度でも十分である（板ばねＡ１乃至Ａ５の場合）。また刀身本体が金属製の場合、複数の刀身本体を並列するとともに溝部の両側面部９ｂを厚み方向に切削して切り欠くなど、機械的方法により刀身本体に係合凹部を形成するのは容易である。なお対向する側面部に一対の係合凹部Ｂが形成されている場合、板ばねＡ（１枚の場合）の係合突片Ａはいずれか一方の係合凹部Ｂに係合される。【００１３】係合凹部Ｂは側面部の下縁８ｂから溝部Ｅの底部４まで達し、垂直状に形成されている。係合凹部Ｂの断面は矩形状でありその大きさも同じである。しかし断面形状や大きさが部分的に異なったものでもよく、また係合凹部は傾斜状に形成してもよい（図示せず）。板ばねＡおよび合突片６の幅は係合凹部Ｂの深さ（側面部の下縁８ｂから溝部の底部４までの長さ）とほぼ同じか若干小さいのが望ましい（図２８参照）が、大きくてもよい（図示せず）。図２９、３０に示される板ばねＡ２、Ａ３は係合突片６の幅が係合凹部Ｂの深さよりかなり小さい。溝部の底部４はほぼ平面状である（図４参照）が、湾曲面などでもよい（図示せず）。また刃体保持部Ｃの底部１４のように、両内側縁１４ａより中央部が低くなった逆Ｖ字形の底部としてもよい。【００１４】また係合凹部Ｂには板ばねＡ４の鉤状に屈曲する係合突片６が係合され（図２５参照）、係合凹部Ｂには板ばねＡ５のＬ字状に屈曲する係合突片６が係合される（図２６）。これらは係合突片６の先端部が側面部の外側面９ｃから突出している例である。この場合、係合突片６は側面部の外側面９ｃへ屈曲して延びるとともに、外側面９ｃに当接する先端部が、板ばねＡ４ではさらに刀身本体２の前端側に屈曲し、板ばねＡ５ではさらに刀身本体２の基端側に屈曲している。いずれも係合突片６が係合凹部Ｂから外れないように確実に係合される。【００１５】次に溝部の底部４における係合凹部Ｂの場合、底部４に凹陥した係合凹部Ｂは溝部の一方の側面部９ｂに並行する横長のスリット状に形成されている（図２７、３１参照）。一方の側面部９ｂに近接する位置にある係合凹部Ｂには板ばねＡ６の係合突片６、つまり板ばねＡ６の延出する基端部１３から下方へ屈曲して延びる係合突片６が係合される。以上、いずれの場合も高さ方向に形成された係合凹部Ｂは、側面部の下縁８ｂあるいは底部４など、刀身本体２下縁に開口している。【００１６】板ばねＡは刀身本体下縁の開口から刀身本体２に挿着される。すなわち刃体保持部Ｃおよび基部Ｄの下縁（８ａ、８ａおよび８ｂ、８ｂ）間の長手方向の開口の下方位置に湾曲する板ばねＡを配し（図３参照）、その湾曲状態を部分的に変形する（直線状にする）など適宜に調整をしながら板ばねＡを開口より中空の刃体保持部および溝部に挿入する。それと同時に係合凹部Ｂに係合突片６を差し込むと係合突片６が係合凹部Ｂに係合される。両側面部９ｂ、９ｂに一対の係合凹部Ｂがある場合は、前記のようにいずれか一方の係合凹部Ｂに係合突片６を係合すればよい。刃体保持部Ｃに配置された板ばねＡの前端１０（自由端）は刃体保持部Ｃの内側面に当接される。いずれの場合も刀身本体２下縁（側面部の下縁８ｂや底部４など）に開口する係合凹部Ｂに対し、刀身本体２の下縁側から開口を通して係合突片６が係入され、係合突片６と係合凹部Ｂとの係合が容易となる。特に底部４の係合凹部Ｂに係合突片６を係合する場合、板ばね６の基端部１３を中空の溝部Ｅに挿入すると、下方へ屈曲して延びる係合突片６がほぼ自動的に係合凹部Ｂに係合し、その係合はさらに容易である。【００１７】刃体５は刀身本体２の長手方向（前後方向）に移動して刃体保持部Ｃに挿脱されるが、刃体５の前後方向への移動に伴い刃体５の腹面と摺接する板ばねＡに対して前後方向の力が働く。一方、係合凹部Ｂに係合した係合突片６は係合凹部Ｂと当接して板ばねの前後方向の移動を阻止する。係合突片６が側面部９ｂの厚み方向に配置された場合（板ばねＡ１乃至Ａ５、図２３乃至２６参照）、係合突片６が係合凹部Ｂと面接触する例である。すなわち係合突片６は前面がこれに対向する係合凹部Ｂの内側面と、また後面がこれに対向する係合凹部Ｂの内側面とほぼ全面的に面接触する。少なくとも刃体５の前後方向の移動にともない、板ばねＡに前後方向の力が加わるとき両者はほぼ全面的に面接触する（図８参照）。係合突片６の幅と板ばねの幅が同じである場合（板ばねＡ１、Ａ４，Ａ５）、係合突片６が前後方向の力をほぼ全体で均一に受け、板ばねＡは安定して保持される。また係合突片６と係合凹部Ｂとの接触面積が大きく、板ばねＡの移動を有効に阻止する。【００１８】次に係合突片６がスリット状の係合凹部Ｂの前後方向に配置された場合（板ばねＡ６、図２７参照）、係合突片６が係合凹部Ｂと線接触をする例である。係合突片６は上下方向に延びる線状の前部がこれに対向する係合凹部Ｂの内側面と、また上下方向に延びる線状の後部がこれに対向する係合凹部Ｂの内側面とほぼ全体的に線接触する。この場合も線接触により前後方向の大きな力に対応することができ、板ばねＡが安定して保持される。なお以上いずれも板ばねＡが１枚の場合について説明したが、板ばねＡは複数でもよい。例えば、刃体保持部Ｃに一対の弓形に湾曲する板ばねＡ１を両者の凸曲面がたがいに当接するように対向して配置し、両板ばねＡ１の自由端である前端間から挿入された刃体を両板ばねＡ間に押圧挟持するとともに、それぞれの係合突片６を対向する係合凹部Ｂに係合する（図示せず）。【００１９】ハンドル３は前端の取付口２０とこれに連続する中空部２１を有する。板ばねＡの装着された刀身本体２は基部Ｄをハンドル３と固定して一体化される。固定方法としては、取付口２０から刀身本体の基部Ｄをハンドルの中空部２１に嵌入し、刀身本体２をハンドル３に嵌着する。あるいはハンドルの中空部２１に挿入された刀身本体の基部Ｄを接着剤や超音波ウエルダー加工によりハンドル３に固着し、刀身本体２をハンドル３に固定することができるが、その固定方法、手段は問わない。【００２０】係合凹部Ｂの開口における係合突片６は被覆体により被覆されている。図１、２の場合、合成樹脂製などのハンドル３と一体化された刀身本体はハンドルの中空部２１の内周面２２が係合凹部Ｂの開口を塞ぎ、ハンドル３が係合凹部Ｂの開口における係合突片６を被覆している。係合突片６は被覆体３に当接しているのが望ましいが、両者間に間隙があってもよい。例えば、板ばねＡ３の係合突片６の場合、被覆体と係合突片６との間に隙間が生じる（図３０参照）。被覆体と係合突片６との間に接着剤や充填剤など配置されこれらが係合凹部Ｂの開口を塞いでいる場合は、接着剤や充填剤が被覆体となる。またベルト、テープのような帯状物で溝部Ｅの外周を巻回して係合凹部Ｂの開口を塞ぎ、あるいはプレート状物で係合凹部の開口を被蓋する（図示せず）。この場合は帯状物やプレート状物が係合突片６を被覆する被覆体である。係合凹部の開口から係合突片の一部が外側に突出していてもよく、このときも係合突片は帯状物やプレート状物など適宜な被覆体により被覆される（図示せず）。いずれもの場合も被覆体３は係合突片６が係合凹部Ｂの開口から離脱するのを防止する。【００２１】係合凹部Ｂの開口を塞ぐ被覆体がハンドル３である場合、刀身本体２  をハンドル３に嵌着するなど両者を連結して一体化するのみで係合凹部Ｂ内の係合突片６が被覆され、効率的な被覆が可能となる。透明素材で形成されたハンドル３が場合、被覆体のハンドル３により係合凹部Ｂや係合突片６が外側から目視されないから好都合である。尤も透明素材で形成されたハンドル３の場合、係合凹部Ｂの狭い開口が目視されても必ずしも不体裁ではない。しかし帯状物やプレート状物などの被覆体で係合突片を被覆すれば、外観上の不体裁は確実になくなる。本発明は、刀身本体２をハンドル３と固定して一体化される固定式剃刀（図１参照）だけでなく、折り畳み式の剃刀、つまり、刀身本体の基部がハンドルの先端部の近傍に枢着され、ハンドルの収納部に刀身本体に折り畳み可能に収納される剃刀（図示せず）についても適用される。【００２２】以上みたように、係合凹部Ｂに係合された係合突片６は、係合凹部Ｂとの当接あるいは当接可能性による板ばねの前後方向への移動の阻止機能と、被覆体との当接あるいは当接可能性による板ばねの高さ方向への移動の阻止機能を備え、これにより板ばねＡが刀身本体２に安定して保持される。なお最適な実施例の１つとして剃刀について説明をしたが、本発明はカッターナイフ、医療用、病理用ナイフ（例えば、トリミングナイフ）などの刃物にも実施可能である。
【図面の簡単な説明】
【００２３】
【図１】  本発明に係る刃物の１つである剃刀の側面図である。
【図２】  矢標方向へ  移動する替刃を示す同剃刀の断面図である。
【図３】  刃体および板ばね（側面）と刀身本体およびハンドル（断面）を示す図１における剃刀の分解図である。
【図４】  図３に示される刀身本体の拡大正面図である。
【図５】  板ばねが装着されている状態を示す刀身本体の断面図である。
【図６】  板ばねが装着されている状態を示す刀身本体の底面図である。
【図７】  替刃と板ばねの前端が接触している状態を示す剃刀の要部の説明的な底面図である。
【図８】  替刃と板ばねの腹部が接触している状態を示す剃刀の要部の説明的な底面図である。
【図９】  板ばねＡ１の拡大側面図である。
【図１０】  同板ばねの拡大平面図である。
【図１１】  板ばねＡ２の拡大側面図である。
【図１２】  同板ばねの拡大平面図である。
【図１３】  同板ばねの部分拡大斜視図である。
【図１４】  板ばねＡ３の拡大側面図である。
【図１５】  同板ばねの拡大平面図である。
【図１６】  同板ばねの部分拡大斜視図である。
【図１７】  板ばねＡ４の拡大側面図である。
【図１８】  同板ばねの拡大平面図である。
【図１９】  板ばねＡ５の拡大側面図である。
【図２０】  同板ばねの拡大平面図である。
【図２１】  板ばねＡ６の拡大側面図である。
【図２２】  同板ばねの拡大平面図である。
【図２３】  板ばねＡ１、２、３と係合凹部との係合状態を示す刀身本体の部分拡大底面図である。
【図２４】  板ばねＡ１、２、３と他の係合凹部との係合状態を示す刀身本体の部分拡大底面図である。
【図２５】  板ばねＡ４と係合凹部との係合状態を示す刀身本体の部分拡大底面図である。
【図２６】  板ばねＡ５と係合凹部との係合状態を示す刀身本体の部分拡大底面図である。
【図２７】  板ばねＡ６と係合凹部との係合状態を示す刀身本体の部分拡大底面図である。
【図２８】  板ばねＡ１と係合凹部との係合状態を示す刀身本体の部分拡大断面図である。
【図２９】  板ばねＡ２と係合凹部との係合状態を示す刀身本体の部分拡大断面図である。
【図３０】  板ばねＡ３と係合凹部との係合状態を示す刀身本体の部分拡大断面図である。
【図３１】  板ばねＡ６と係合凹部との係合状態を示す刀身本体の部分拡大断面図である。
【符号の説明】
【００２４】    Ａ  板ばね
Ｂ  係合凹部
Ｃ  刃体保持部
Ｄ  基部
Ｅ  溝部
１  刃物
２  刀身本体
３  ハンドル（被覆体）
５  刃体
６  係合突片
７  挿脱口
８ａ  刃体保持部の側面部の下縁
８ｂ  溝部Ｅの側面部の下縁
９ａ  刃体保持部の側面部
９ｂ  溝部の側面部
２０  取付口
２１  ハンドルの中空部
【図１】
2006255379.tif 000003
【図２】
2006255379.tif 000004
【図３】
2006255379.tif 000005
【図４】
2006255379.tif 000006
【図５】
2006255379.tif 000007
【図６】
2006255379.tif 000008
【図７】
2006255379.tif 000009
【図８】
2006255379.tif 000010
【図９】
2006255379.tif 000011
【図１０】
2006255379.tif 000012
【図１１】
2006255379.tif 000013
【図１２】
2006255379.tif 000014
【図１３】
2006255379.tif 000015
【図１４】
2006255379.tif 000016
【図１５】
2006255379.tif 000017
【図１６】
2006255379.tif 000018
【図１７】
2006255379.tif 000019
【図１８】
2006255379.tif 000020
【図１９】
2006255379.tif 000021
【図２０】
2006255379.tif 000022
【図２１】
2006255379.tif 000023
【図２２】
2006255379.tif 000024
【図２３】
2006255379.tif 000025
【図２４】
2006255379.tif 000026
【図２５】
2006255379.tif 000027
【図２６】
2006255379.tif 000028
【図２７】
2006255379.tif 000029
【図２８】
2006255379.tif 000030
【図２９】
2006255379.tif 000031
【図３０】
2006255379.tif 000032
【図３１】
2006255379.tif 000033